Podtech/llm-jp-corpus-v4-ja_patent huggingface dataset:
【手続補正書】
【提出日】平成20年6月5日(2008.6.5)
【手続補正１】
【補正対象書類名】明細書
【補正対象項目名】特許請求の範囲
【補正方法】変更
【補正の内容】
【特許請求の範囲】
【請求項１】  光エネルギ交換手段（１）を含む光電子装置であって、
入射光波の選択スペクトル部分を伝送し、かつ前記交換手段（１）に向けて前記光波の相補的スペクトル部分を反射するように適合されたろ過手段（３）と、
前記ろ過手段（３）に向けてろ過手段により伝送された選択スペクトル部分を反射するように適合された反射手段（４）とに、処理すべき光波を伝送するように適合され、
ろ過手段（３）が交換手段（１）と反射手段（４）との間にあることを特徴とする光電子装置。
【請求項２】  前記交換手段（１）が、
伝送される光波と前記ろ過手段（３）によって反射される相補的スペクトル部分とが第１の定常波（その付随する電界は前記変換手段（１）内にノードを有する）を生成するように選択されたろ過手段（３）から第１の距離（ｄ１）にあり、かつ
選択スペクトル部分と前記反射手段（４）によって反射された選択スペクトル部分とが第２の定常波（その付随する電界が前記変換手段内にアンチノードを有する）を生成するように選択された反射手段（４）から第２の距離（ｄ２）にある
ことを特徴とする、請求項１記載の装置。
【請求項３】  前記変換手段（１）が、外部の光波源からろ過すべき光波を受光し、かつ第２の定常波を吸収により検出するように適合されていることを特徴とする、請求項１又は２に記載の装置。
【請求項４】  前記変換手段（１）が吸収層を含むことを特徴とする、請求項３に記載の装置。
【請求項５】  前記変換手段（１）が、選択スペクトル部分の波長の半分の整数倍にほぼ等しい距離だけ互いに離隔された多数の吸収層を含むことを特徴とする、請求項３に記載の装置。
【請求項６】  吸収層が、ボロメータタイプ又は光伝導性タイプであることを特徴とする、請求項３〜５のいずれか１項に記載の装置。
【請求項７】  前記変換手段（１）が、第２の定常波の波長に比べて薄い活性層を有するホトダイオードを含むことを特徴とする、請求項１又は２に記載の装置。
【請求項８】  前記変換手段（１）が、多重量子井戸ホトダイオードを含むことを特徴とする、請求項１又は２に記載の装置。
【請求項９】  前記変換手段（１）が、前記ろ過手段（３）によってろ過すべき前記光波を形成する光子を発するように適合されていることを特徴とする、請求項１又は２に記載の装置。
【請求項１０】  前記変換手段（１）が、ホトルミネセンス、エレクトロルミネセンス及び螢光発光を含む群から選択されたメカニズムにより光を発するように適合されていることを特徴とする、請求項９に記載の装置。
【請求項１１】  前記変換手段が（１）が、第２の定常波を空間的に制御するように適合されていることを特徴とする、請求項２に記載の装置。
【請求項１２】  前記変換手段（１）が回折格子を含むことを特徴とする、請求項１１に記載の装置。
【請求項１３】  ろ過手段（３）が、高い屈折率の層と低い屈折率の層とが交互に形成された２つのブラッグミラーの間に挿入された共振空洞構造（８）を含むことを特徴とする、請求項１〜１２のいずれか１項に記載の装置。
【請求項１４】  高い屈折率の層がケイ素（Ｓｉ）の層であり、低い屈折率の層がシリカ（ＳｉＯ2）の層であり、前記空洞がシリカ（ＳｉＯ2）からなることを特徴とする、請求項１３に記載の装置。
【請求項１５】  高い屈折率の層が半導体材料の層であり、低い屈折率の層が空気の層であり、前記空洞が空気の層であることを特徴とする、請求項１３に記載の装置。
【請求項１６】  第１のブラッグミラー（６）が、それぞれ同じＰ型又はＮ型のドーピングを有する半導体層（９）を含み、第２のブラッグミラー（７）がそれぞれ逆のＮ型又はＰ型のドーピングを有する半導体層（９）を含み、これらの層（９）は、ＰＩＮ又はＮＩＰ型の構造を画定するために意図的にドーピングされていない（Ｉ型）スペーサ（１３）によって離隔され、それらに加えられるそれぞれの選択された電位を有するように適合されていることを特徴とする、請求項１５に記載の装置。
【請求項１７】  ろ過手段のろ過波長が、それぞれのバイアスの変動により、それぞれ逆のＰドーピング又はＮドーピングされた層に対してそれぞれＮドーピング又はＰドーピングされた半導体層の１つ又はそれ以上を移動させることによって変調可能であることを特徴とする、請求項１６に記載の装置。
【請求項１８】  第２のブラッグミラー（７）が、反射手段（４）を画定するさらなる交互に形成された層を１つ又はそれ以上含むことを特徴とする、請求項１３〜１７のいずれか１項に記載の装置。
【請求項１９】  変換手段（１）の上流側に半反射性層を含むことを特徴とする、請求項１〜１８のいずれか１項に記載の装置。
【請求項２０】  ろ過手段が、波長が選択された値の中心にある光波を伝送するように適合されていることを特徴とする、請求項１〜１９のいずれか１項に記載の装置。
【請求項２１】  ろ過手段が、波長が選択された範囲の１つ又はそれ以上にある光波を停止させるように適合されていることを特徴とする、請求項１〜１９のいずれか１項に記載の装置。
【誤訳訂正書】
【提出日】平成20年9月22日(2008.9.22)
【誤訳訂正１】
【訂正対象書類名】明細書
【訂正対象項目名】特許請求の範囲
【訂正方法】変更
【訂正の内容】
【特許請求の範囲】
【請求項１】  タンパク質構成成分を含む試料を分析するための、アルカリ性pHの自由溶液のキャピラリー電気泳動法であって、
試料を緩衝系を含むキャピラリーチューブに導入する少なくとも１つの工程を含むことを特徴とし、
該緩衝系がさらに、アルブミンと疎水的に相互作用することができ、該アルブミンに、１つ以上の負の荷電を与え、電気泳動度を調整できる、少なくとも１つの添加剤を含み、該緩衝液中の該添加剤の濃度が、該緩衝液中の該添加剤の臨界ミセル濃度を超えず、
該タンパク質構成成分が、アルブミンおよびα1、α2、β、またはβ1、β2およびγグロブリン画分であり、
該添加剤が、Ｃ6〜Ｃ10アルキルスルホネートである、
前記電気泳動法。
【請求項２】  タンパク質構成成分を含む試料を分析するための、アルカリ性pHの自由溶液のキャピラリー電気泳動法であって、
試料を緩衝系を含むキャピラリーチューブに導入する少なくとも１つの工程を含むことを特徴とし、
緩衝系がホウ酸緩衝液又はグリシン緩衝液であり、
該緩衝系がさらに、アルブミンと疎水的に相互作用することができ、該アルブミンに、１つ以上の負の荷電を与え、電気泳動度を調整できる、少なくとも１つの添加剤を含み、該緩衝液中の該添加剤の濃度が、該緩衝液中の該添加剤の臨界ミセル濃度を超えず、
該タンパク質構成成分が、アルブミンおよびα1、α2、β、またはβ1、β2およびγグロブリン画分であり、
該添加剤が、Ｃ6〜Ｃ10アルキルスルホネートである、
前記電気泳動法。
【請求項３】  構成成分を泳動により分離し、構成成分を検出することをさらに含むことを特徴とする、請求項１または２記載の方法。
【請求項４】  試料が、生物学的試料であることを特徴とする、請求項１〜３のいずれか１項記載の方法。
【請求項５】  試料が、血液、溶血した血液、血漿、尿または脳脊髄液の試料であることを特徴とする、請求項１〜４のいずれか１項記載の方法。
【請求項６】  構成成分が血液タンパク質であることを特徴とする、請求項１〜５のいずれか１項記載の方法。
【請求項７】  添加剤がオクタンスルホネートであることを特徴とする、請求項１〜６のいずれか１項記載の方法。
【請求項８】  緩衝液中の添加剤の濃度が、０．１mM〜５００mMの範囲であることを特徴とする、請求項１〜７のいずれか１項記載の方法。
【請求項９】  該緩衝液中の該添加剤の濃度が、１mM〜５mMの範囲であることを特徴とする、請求項１〜８のいずれか１項記載の方法。
【請求項１０】  緩衝液中の添加剤の濃度が２．５mMのオーダーであることを特徴とする、請求項１〜９のいずれか１項記載の方法。
【請求項１１】  該緩衝系のpHが９〜１１の範囲である、請求項１〜１０のいずれか１項記載の方法。
【請求項１２】  キャピラリーが融合シリカであることを特徴とする、請求項１〜１１のいずれか１項記載の方法。
【請求項１３】  緩衝系が、さらに、少なくとも１つのpH調整剤を含むことを特徴とする、請求項１〜１２のいずれか１項記載の方法。
【請求項１４】  pH調整剤が、水酸化リチウム、水酸化ナトリウム、水酸化カリウム、水酸化ルビジウム、水酸化セシウム、水酸化フランシウム、または、アルキル部分に１〜８個の炭素原子を含むモノ−、ジ−、トリ−またはテトラ−アルキルアンモニウムハイドロオキサイドから選択されることを特徴とする、請求項１３記載の方法。
【請求項１５】  緩衝系においてアルカリ性pHの自由溶液のキャピラリー電気泳動により、アルブミンおよび以下の画分：α1；α2；βまたはβ1およびβ2；およびγグロブリンを含む試料中のタンパク質構成成分を分離する方法であって、
該構成成分を含む該試料を、アルブミンと疎水的に相互作用することができ、該アルブミンに、１つ以上の負の荷電を与え、電気泳動度を調整できる少なくとも１つのさらなる添加剤を含む緩衝系を含むキャピラリーに通すことを含み、該緩衝液中の該添加剤の濃度が、該緩衝液中の該添加剤の臨界ミセル濃度を超えず、
該添加剤が、Ｃ6〜Ｃ10アルキルスルホネートである、
前記方法。
【請求項１６】  液体試料中のタンパク質構成成分のアルカリ性pHの自由溶液のキャピラリー電気泳動による電気泳動分離法であって、該構成成分を含む試料を、アルブミンと疎水的に相互作用することができ、該アルブミンに、１つ以上の負の荷電を与え、電気泳動度を調整できる少なくとも１つの添加剤をさらに含む緩衝系を含むキャピラリーに通すことを含み、該緩衝液中の該添加剤の濃度が、該緩衝液中の該添加剤の臨界ミセル濃度を超えず、該タンパク質構成成分が、アルブミンおよびα1、α2、β、またはβ1、β2およびγグロブリン画分であり、該添加剤が、Ｃ6〜Ｃ10アルキルスルホネートである、前記電気泳動分離法。
【請求項１７】  緩衝系が、さらに、硫酸ナトリウムを含むことを特徴とする、請求項１〜１６のいずれか１項記載の方法。
【誤訳訂正２】
【訂正対象書類名】明細書
【訂正対象項目名】００３２
【訂正方法】変更
【訂正の内容】
【００３２】
オクタンスルホネートを使用する場合、緩衝液中のその濃度は１〜５mM、好ましくは１〜４mMのオーダーであり；好ましくは濃度は約２．５mMである。
【誤訳訂正書】
【提出日】平成19年12月6日(2007.12.6)
【誤訳訂正１】
【訂正対象書類名】特許請求の範囲
【訂正対象項目名】全文
【訂正方法】変更
【訂正の内容】
【特許請求の範囲】
【請求項１】
腰椎／仙椎の接合部用の安定装置であって、
正面壁および足部を有するプレートであって、前記足部が前記壁の下部から後ろ向きに突出し、かつ前記足部が底表面を有する、プレートと、
Ｌ５椎骨内に入るようにネジを受け取るための、前記壁内の２つの上部穴と、
前記壁内にある２つの下部穴であって、当該２つの下部穴は、前記プレートの底の近くで当該プレートを通り抜けて延び、前記正面壁から仙椎内に入るようにネジを受け取る、２つの下部穴とを備えており、
前記安定装置は、全体として洋ナシ形であって、大血管との接触が軽減される、安定装置。
【請求項２】
前記プレートが、前記各下部穴それぞれに対して１つの正面壁凹所を有し、当該正面壁凹所は、ネジが前記下部穴に受け取られる際に、ネジ山に着座表面をもたらす、請求項１に記載の安定装置。
【請求項３】
前記着座表面が内向きに傾斜し、それによって、前記ネジ山が、前記着座表面に受けられたとき自動的に中心に位置する、請求項２に記載の安定装置。
【請求項４】
前記内向きに傾斜した着座表面が、前記下部穴の入口端に向かって下向きに湾曲する、請求項３に記載の安定装置。
【請求項５】
前記複数の下部穴が複数の軸を有し、当該複数の軸は、前記複数の下部穴が前記プレートの前記底部の下に延びるにつれて集束する、請求項３に記載の安定装置。
【請求項６】
前記複数の軸が、前記正面壁の前記下部に対して全体として平行である平面に位置する、請求項５に記載の安定装置。
【誤訳訂正２】
【訂正対象書類名】明細書
【訂正対象項目名】０００６
【訂正方法】変更
【訂正の内容】
【０００６】
図示する本発明の実施形態による腰椎前方プレート１１は、一般に、図３で正面から見られる通り、全体として洋ナシ形であって、それによって大血管との接触が軽減されるが、図２および４に示す通り、垂直平面で湾曲し、図５および６に示す通り、水平面で湾曲する。これによって、椎骨Ｌ５の周りでの嵌め合わせが容易になり、前面１１Ａ（図２および４）が、Ｓ１の湾曲と、その上の脊柱の湾曲とに、滑らかに続いてゆくことが可能となる。後面の上部１１Ｐも、同じ曲線をたどるが、足部１１Ｓで変化して、Ｌ５とＳ１の間の椎間板スペースに部分的に進入できるようになる。プレートの上端１１Ｕは、Ｌ５の頂表面１２よりも僅かに低いことが好ましい。プレート１１の足部１１Ｓの下面１１Ｂは、Ｓ１の上板面１３、またはその直ぐ上に位置づけられるように意図するものである。
【誤訳訂正３】
【訂正対象書類名】明細書
【訂正対象項目名】０００８
【訂正方法】変更
【訂正の内容】
【０００８】
図３および４に示す通り、プレートの上部にはネジ穴が２つあるが、これらは、Ｌ５内にねじ込まれるネジ１６を受ける。プレートの足部は、凹所１７を２つ有するが、これらの壁下部１８は、図４Ａに見られる通り、内向きに湾曲し、穴１９へのネジ案内入口を提供するが、穴１９は、底面１１Ｂをそこから通り抜けてゆく。ネジ２０は、穴１９の中を通って下向きに受け取られ、上端板の皮質骨と、Ｓ１の海綿質骨とのいずれの中にもねじ込まれ、そこを通り、そしてＳ１−Ｓ２接合部の両椎骨セグメントの皮質骨を通る。例として、ネジは、直径６．５ミリメートルの、海綿質骨ネジであることができる。ネジ穴の軸１９Ａはまた、凹所１７のネジ進入表面から、プレートの長手軸Ａに向けて、方向付けられているが、プレートは、通常、脊椎の中心面と、実質的に共面である。ネジ２０の軌道と、その結果生じる、平面Ｐのプレート底１１Ｂの平面に対する角度Ｂおよび角度Ｄ（図４Ａ）とは、外科医によって、仙椎の直接検査、およびＸ線透視法を使用して決定される。この内包角（Ｂ）は、ネジの軸の平面Ｐで測定した場合（図４）、またはそれらが共面でない場合は、ネジ軸付近の平面で測定した場合、１０度から３０度の間である可能性が高いことが予想される。ネジ２０のネジ山の下面は、穴１９内に受け取られるネジの真っ直ぐな軸部分の上で、丸みを帯びていることが好ましいが、これは、ネジを仙椎に据え付け、正しい位置に締める際に、プレート１１に対して幾分かネジの角度を作ることによって、ネジ山が、湾曲した座面１８にうまく着座できるようにするためである。
【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  正中神経を保護し、振動を減衰し、そして衝撃を吸収するためのハンドパッド装置であって、該ハンドパッド装置は、正中神経に対する圧力の適用を防ぐための保護手段であって、クッション部分の間の凹部を規定する平行なクッション部分を含む、保護手段、および該クッション部分の間の該凹部を維持し、それによって該クッション部分が該凹部の大きさを減少させることを防ぐための凹部維持手段、を含む、ハンドパッド装置。
【請求項２】  請求項１に記載のハンドパッド装置であって、前記保護手段が、エラストマー材料、ウレタン、空気、泡、ポリエチレン、ゴムおよびシリコーンゲルから本質的になる群から選択される振動吸収材料で作製される少なくとも１つのクッションパッドである、ハンドパッド装置。
【請求項３】  前記エラストマー材料が、ネオプレン、エチレンプロピレンターポリマーおよびスチレンブタジエンから本質的になる群から選択される、請求項２に記載のハンドパッド装置。
【請求項４】  前記ゴムが、ｃｉｓポリブタジエンゴム、スチレンブタジエンゴム、および天然ゴムから本質的になる群から選択される材料から作製される、請求項２に記載のハンドパッド装置。
【請求項５】  請求項１に記載のハンドパッド装置であって、前記凹部維持手段が、前記凹部に隣接して前記保護手段のまわりに配置され、前記保護手段が前記凹部内へと横方向に広がることを防ぐ材料として規定される、ハンドパッド装置。
【請求項６】  前記材料が、プラスチック、硬化ゴム、金属、木材、クッションパッド、および糸から本質的になる群から選択される材料で作製される、請求項５に記載のハンドパッド装置。
【請求項７】  前記凹部が、少なくとも正中神経と同じ幅であり、そして前記装置に圧力が適用された後に、少なくとも正中神経と同じ幅のままである、請求項１に記載のハンドパッド装置。
【請求項８】  手と道具との間への配置のための、ハンドグリップアセンブリとしてさらに規定される、請求項１に記載のハンドパッド装置。
【請求項９】  前記保護手段が、手袋アセンブリ内に配置される、請求項１に記載のハンドパッド装置。
【請求項１０】  前記手袋アセンブリが、可撓性の手袋本体を含み、該手袋本体が、掌側および甲側を含み、そして少なくとも１つの架橋手段が、前記保護手段の前記クッション部分間で前記凹部の上に配置されている、請求項９に記載のハンドパッド装置。
【請求項１１】  前記架橋手段が、ポリスチレン、ポリ塩化ビニル、およびポリウレタンを含むプラスチック材料で作製される、請求項１０に記載のハンドパッド装置。
【請求項１２】  前記架橋手段が、前記保護手段の前記クッション部分に取り付けられている、請求項１０に記載のハンドパッド装置。
【請求項１３】  正中神経を保護し、振動を減衰し、かつ衝撃を吸収するためのハンドパッド装置であって、該ハンドパッド装置は、正中神経に対する圧力の適用を防ぐための保護手段であって、クッション部分の間の凹部を規定する平行なクッション部分を含む、保護手段を含み、ここで、該凹部が正中神経上で開いたままである、ハンドパッド装置。
【請求項１４】  請求項１３に記載のハンドパッド装置であって、前記保護手段が、エラストマー材料、ウレタン、空気、泡、ポリエチレン、ゴムおよびシリコーンゲルから本質的になる群から選択される振動吸収材料で作製される少なくとも１つのクッションパッドである、ハンドパッド装置。
【請求項１５】  前記エラストマー材料が、ネオプレン、エチレンプロピレンターポリマーおよびスチレンブタジエンから本質的になる群から選択される、請求項１４に記載のハンドパッド装置。
【請求項１６】  前記ゴムが、ｃｉｓポリブタジエンゴム、スチレンブタジエンゴム、および天然ゴムから本質的になる群から選択される材料から作製される、請求項１４に記載のハンドパッド装置。
【請求項１７】  手と道具との間への配置のためのハンドグリップアセンブリとしてさらに規定される、請求項１３に記載のハンドパッド装置。
【請求項１８】  前記保護手段が、手袋アセンブリ内に配置される、請求項１３に記載のハンドパッド装置。
【請求項１９】  前記手袋アセンブリが、可撓性の手袋本体を含み、該手袋本体が、掌側および甲側を含み、そして少なくとも１つの架橋手段が、前記保護手段の前記クッション部分間で前記凹部の上に配置されている、請求項１８に記載のハンドパッド装置。
【請求項２０】  前記架橋手段が、ポリスチレン、ポリ塩化ビニル、およびポリウレタンを含むプラスチック材料で作製される、請求項１８に記載のハンドパッド装置。
【請求項２１】  前記架橋手段が、前記保護手段の前記クッション部分に取り付けられている、請求項２０に記載のハンドパッド装置。
【請求項２２】  前記クッション部分が圧迫された後に、前記凹部が正中神経と同じ幅に開いたままである、請求項１３に記載のハンドパッド装置。
【請求項２３】  手根管症候群を抑制するためおよび予防するための正中神経の保護、振動の減衰、および衝撃の吸収を組み合わせたシステムであって、
クッション部分の間に、正中神経の両側と実質的に平行である凹部を規定する平行なクッション部分であって、該正中神経のまわりに配置することによって正中神経に対する圧力の適用を防ぐように構成されている、クッション部分；および
圧力下で、正中神経のまわりの凹部を維持するための手段、
を備える、システム。
【請求項２４】  前記クッション部分が、人の手の上に配置されるための手袋内に配置されている、請求項２３に記載のシステム。
【請求項２５】  パッド材料の平行部分によって規定される凹部の適切な幅を決定する方法であって、
クッション性パッドの材料の種類およびその硬さを決定する工程；ならびに
該パッド材料に対して最大量の圧力が適用される場合に、正中神経と少なくとも同じ広さの幅に該凹部を維持するための、該材料の適切な厚さを実験的に計算する工程、
を包含する、方法。
【請求項２６】  前記決定工程が、前記クッション性パッドの硬さを決定するためにデュロメーターを利用する工程としてさらに規定される、請求項２５に記載の方法。
【請求項２７】  前記計算工程が、静荷重、静圧、瞬間圧、および振動から本質的になる群に由来する圧力を使用することを含む、請求項２５に記載の方法。
【請求項２８】  正中神経に対する圧力の適用を防ぎ、振動を減衰し、かつ衝撃を吸収するための保護手段として使用されるパッド材料の適切な厚さを決定するための方法であって、
該パッド材料を選択する工程；
該パッド材料の硬さを決定する工程；
該パッド材料の間に、正中神経の両側と実質的に平行である凹部を規定するための該パッド材料の平行部分を加工する工程；および
最大圧力が該パッド材料に対して適用された場合に、正中神経と少なくとも同じ幅に該凹部を開いて保持するための、該材料の適切な厚さを実験的に計算する工程、
を包含する、方法。
【手続補正書】
【提出日】平成20年8月7日(2008.8.7)
【手続補正１】
【補正対象書類名】明細書
【補正対象項目名】特許請求の範囲
【補正方法】変更
【補正の内容】
【特許請求の範囲】
【請求項１】
以下の化学式、すなわち；
【化１】
2004517045.tif 000001
【化２】
2004517045.tif 000002
(式中、Ｒ1は、水素、ＣＯ(Ｃ1〜Ｃ6アルキル)ＮＲ4Ｒ5、ＣＯ(Ｃ1〜Ｃ3アルキル)ＣＯ2Ｒ4、ＣＯＣＨ(Ｃ6Ｈ5)ＮＲ4Ｒ5、ＣＯ(Ｃ1〜Ｃ6アルキル)、ＣＯ(Ｃ1〜Ｃ6アルキル)ＣＯ2Ｒ4、ＣＯ(Ｃ1〜Ｃ6アルキル)Ｏ(ＣＨ2ＣＨ2Ｏ)nＣ1〜Ｃ3アルキル、ＣＨ2ＯＣＯ2Ｃ1〜Ｃ6アルキル、ＣＨ2ＯＣＯＣ1〜Ｃ6アルキル、ＰＯ(ＯＨ)2、および、ＳＯ3Ｈからなる群から選択され、
Ｒ2は、水素、Ｃ1〜Ｃ6アルキル、ＣＨ2Ｃ6Ｈ5、Ｃ1〜Ｃ6アルキルＮＲ4Ｒ5、ＣＨ2ＯＣＯＣ1〜Ｃ6アルキル、ＰＯ(ＯＨ)2、ＳＯ3Ｈ、ＣＨ(Ｃ6Ｈ5)ＮＲ4Ｒ5、(Ｃ1〜Ｃ6アルキル)ＣＯ2Ｒ4、および、(Ｃ1〜Ｃ6アルキル)Ｏ(ＣＨ2ＣＨ2Ｏ)nＣ1〜Ｃ3アルキルからなる群から選択され、
Ｒ4およびＲ5は、独立して、水素、Ｃ1〜Ｃ6アルキル、ＣＯ(Ｃ1〜Ｃ6アルキル)、および、アリールからなる群から選択され、あるいは、Ｒ4およびＲ5が、共に５〜７員環を形成し、
ｎは、１〜１０であり、
Ｒ1およびＲ2の少なくとも一方が、水素と異なる)
の化学式で表される化合物およびその薬学的に許容可能な塩。
【請求項２】
Ｒ1およびＲ2の少なくとも一方が、水素であり、そして、Ｒ1およびＲ2の少なくとも一方が、水素と異なる請求項１に記載の化合物。
【請求項３】
Ｒ1およびＲ2が、以下の化学式、すなわち；
【化３】
2004517045.tif 000003
(式中、Ｐｈは、Ｃ6Ｈ5である)からなる群から選択された化学式で表される請求項１に記載の化合物。
【請求項４】
Ｒ1およびＲ2の少なくとも一方が、ＰＯ(ＯＨ)2であり、残りのＲ1およびＲ2の少なくとも一方が、水素である、請求項１に記載の化合物。
【請求項５】
Ｒ1およびＲ2の少なくとも一方が、ＣＨ2ＯＣＯＣ(ＣＨ3)3である請求項１に記載の化合物。
【請求項６】
Ｒ1およびＲ2の少なくとも一方が、ＳＯ3Ｈであり、残りのＲ1およびＲ2の少なくとも一方が、水素である、請求項１に記載の化合物。
【請求項７】
以下の化学式、すなわち；
【化４】
2004517045.tif 000004
【化５】
2004517045.tif 000005
(式中、Ｒ1およびＲ3は、独立して、水素、ＣＯ(Ｃ1〜Ｃ6アルキル)ＮＲ4Ｒ5、ＣＯ(Ｃ1〜Ｃ3アルキル)ＣＯ2Ｒ4、ＣＯＣＨ(Ｃ6Ｈ5)ＮＲ4Ｒ5、ＣＯ(Ｃ1〜Ｃ6アルキル)、ＣＯ(Ｃ1〜Ｃ6アルキル)ＣＯ2Ｒ4、ＣＯ(Ｃ1〜Ｃ6アルキル)Ｏ(ＣＨ2ＣＨ2Ｏ)nＣ1〜Ｃ3アルキル、ＣＨ2ＯＣＯ2Ｃ1〜Ｃ6アルキル、ＣＨ2ＯＣＯＣ1〜Ｃ6アルキル、ＰＯ(ＯＨ)2、および、ＳＯ3Ｈからなる群から選択され、
Ｒ2は、水素、Ｃ1〜Ｃ6アルキル、ＣＨ2Ｃ6Ｈ5、Ｃ1〜Ｃ6アルキルＮＲ4Ｒ5、ＣＨ2ＯＣＯＣ1〜Ｃ6アルキル、ＰＯ(ＯＨ)2、ＳＯ3Ｈ、ＣＨ(Ｃ6Ｈ5)ＮＲ4Ｒ5、(Ｃ1〜Ｃ6アルキル)ＣＯ2Ｒ4、および、(Ｃ1〜Ｃ6アルキル)Ｏ(ＣＨ2ＣＨ2Ｏ)nＣ1〜Ｃ3アルキルからなる群から選択され、
Ｒ4およびＲ5は、独立して、水素、Ｃ1〜Ｃ6アルキル、ＣＯ(Ｃ1〜Ｃ6アルキル)、およびアリールからなる群から選択され、あるいは、Ｒ4およびＲ5が、共に５〜７員環を形成し、
ｎは、１〜１０である）
の化学式で表される化合物およびその薬学的に許容可能な塩。
【請求項８】
以下の化学式、すなわち；
【化６】
2004517045.tif 000006
【化７】
2004517045.tif 000007
の化学式で表される請求項７に記載の化合物。
【請求項９】
化合物２、３、４ａ〜４ｊ、５ａ〜５ｇ、６ａ〜６ｇ、７、８、９、１０ａ、１０ｂ、１１ａ〜１１ｇ、１２ａ〜１２ｇ、１３、１４ａ〜１４ｃ、１５ａ〜１５ｃ、２２、２３、２６、２７ａ〜２７ｉ、および、２８ａ〜２８ｉのいずれかの化合物およびその塩。
【請求項１０】
ベツリン酸またはベツリン酸誘導体に感受性を示す癌の治療剤を製造するための請求項９に記載の化合物の使用。
【請求項１１】
前記癌が、黒色腫、扁平上皮腫瘍、乳がん、大腸癌、肉腫、ヒト口腔表皮癌、ホルモン依存性乳癌、前立腺癌、肺癌、神経膠腫、黒色腫、および、神経芽腫からなる群から選択される請求項１０に記載の使用。
【請求項１２】
ベツリン酸またはベツリン酸誘導体に感受性を示す癌の治療剤を製造するためのベツリン酸のプロドラッグまたはベツリン酸誘導体のプロドラッグの使用。
【請求項１３】
前記癌が、黒色腫、扁平上皮腫瘍、乳がん、大腸癌、肉腫、ヒト口腔表皮癌、ホルモン依存性乳癌、前立腺癌、肺癌、神経膠腫、黒色腫、および、神経芽腫からなる群から選択される請求項１２に記載の使用。
【請求項１４】
ベツリン酸のプロドラッグまたはベツリン酸誘導体のプロドラッグを、ヒト以外の動物に対して、局所投与、静脈投与、または、腹腔内投与する、工程を含むことを特徴とするベツリン酸またはベツリン酸誘導体に感受性を示す癌の治療方法。
【請求項１５】
ＨＩＶの治療剤を製造するための請求項９に記載の化合物の使用。
【請求項１６】
ＨＩＶの治療剤を製造するためのベツリン酸のプロドラッグまたはベツリン酸誘導体のプロドラッグの使用。
【請求項１７】
ベツリン酸のプロドラッグまたはベツリン酸誘導体のプロドラッグを、ヒト以外の動物に、局所投与、静脈投与、または、腹腔内投与する、工程を含むことを特徴とするＨＩＶの治療方法。
【請求項１８】
請求項９に記載の化合物および薬学的に許容可能なキャリアを含む、ことを特徴とする薬学的組成物。
【請求項１９】
ベツリン酸またはベツリン酸誘導体に感受性を示す癌の治療剤を製造するための請求項１８に記載の組成物の使用。
【請求項２０】
請求項１８に記載の組成物をヒト以外の動物に投与する、工程を含むことを特徴とするＨＩＶの治療方法。
【手続補正書】
【提出日】平成19年11月30日(2007.11.30)
【手続補正１】
【補正対象書類名】明細書
【補正対象項目名】請求項１５
【補正方法】変更
【補正の内容】
【請求項１５】  請求項１または２に記載の化合物およびインターフェロンが、それぞれ、医薬的有効量、準臨床的医薬的有効量およびその組み合わせから選ばれる量で存在する請求項１３に記載の使用。
【手続補正２】
【補正対象書類名】明細書
【補正対象項目名】請求項１６
【補正方法】変更
【補正の内容】
【請求項１６】  インターフェロンが、インターフェロンα−２Ｂ、ポリエチレングリコール付加（pegylated）インターフェロンα、コンセンサスインターフェロン、インターフェロンα−２Ａ、リンパ芽球腫インターフェロンおよびインターフェロンτから選ばれる請求項１５に記載の方法。
【手続補正３】
【補正対象書類名】明細書
【補正対象項目名】請求項２３
【補正方法】変更
【補正の内容】
【請求項２３】  請求項１または２に記載の化合物、インターフェロンおよび抗Ｃ型肝炎ウイルス活性をもつ化合物が、それぞれ、医薬的有効量、準臨床的医薬的有効量およびその組み合わせから選ばれる量で存在する請求項２１に記載の使用。
【手続補正４】
【補正対象書類名】明細書
【補正対象項目名】請求項３４
【補正方法】変更
【補正の内容】
【請求項３４】  インターフェロンが、インターフェロンα−２Ｂ、ポリエチレングリコール付加（pegylated）インターフェロンα、コンセンサスインターフェロン、インターフェロンα−２Ａ、リンパ芽球腫インターフェロンおよびインターフェロンτから選ばれ；および抗Ｃ型肝炎ウイルス活性をもつ化合物が、インターロイキン２、インターロイキン６、インターロイキン１２、１型ヘルパーＴ細胞応答の発達を増強する化合物、二本鎖ＲＮＡ、トブラマイシンと複合させた二本鎖ＲＮＡ、イミクイモド、リバビリン、イノシン５'−モノリン酸デヒドロゲナーゼインヒビター、アマンタジンおよびリマンタジンから選ばれる請求項３２に記載のキットまたは医薬パック。
【手続補正書】
【提出日】平成20年7月31日(2008.7.31)
【手続補正１】
【補正対象書類名】明細書
【補正対象項目名】特許請求の範囲
【補正方法】変更
【補正の内容】
【特許請求の範囲】
【請求項１】    簡単なパラジウム化合物の存在中に、場合によっては溶媒中の窒素含有添加物、塩基の存在下、Ｃ−Ｃ結合を形成しながらしかもアリールまたはヘテロアリール誘導体の官能基とオレフィン化合物の水素原子の式上での脱離をさせながら、官能性アリールまたはヘテロアリール化合物を二重結合に少なくとも１個の水素原子を有するオレフィン誘導体と反応させる方法であって、パラジウムとは異なる少なくとも１種の金属含有添加物の存在によることを特徴とする、上記の方法。
【請求項２】    窒素含有添加物が使用されることを特徴とする、請求項１による方法。
【請求項３】    窒素含有添加物がアミノカルボン酸またはアミノカルボン酸誘導体であることを特徴とする、請求項１または２による方法。
【請求項４】    窒素含有添加物がジメチルグリシン、４−ジメチルアミノ酪酸または３−インドリル酢酸であることを特徴とする、請求項１から３までのいずれか１項による方法。
【請求項５】    金属含有添加物が周期律表のｄ−遷移族の金属、合金、化合物、塩またはカルコゲニドから選択されることを特徴とする、請求項１から４までのいずれか１項による方法。
【請求項６】    金属含有添加物がバナジウム族から亜鉛族までの遷移金属を含むことを特徴とする、請求項５による方法。
【請求項７】    金属含有添加物が鉄、コバルト、ニッケル、ルテニウム、ロジウム、オスミウム、イリジウムまたは白金から選ばれた少なくとも一種の金属を含むことを特徴とする、請求項５または６による方法。
【請求項８】    金属含有添加物が鉄、コバルトまたはニッケルから選ばれた少なくとも一種の金属を含むことを特徴とする、請求項５から７までのいずれか１項による方法。
【請求項９】    金属含有添加物が鉄を含むことを特徴とする、請求項５から８までのいずれか１項による方法。
【請求項１０】    金属含有添加物としてハロゲン化物、硫酸塩、酢酸塩またはその他のカルボン酸塩が使用されることを特徴とする、請求項５から９までのいずれか１項による方法。
【請求項１１】    金属含有添加物として酸化物または錯化合物が使用されることを特徴とする、請求項５から９までのいずれか１項による方法。
【請求項１２】    金属含有添加物として金属または金属性の合金が使用されることを特徴とする、請求項５から９までのいずれか１項による方法。
【請求項１３】    鉄含有添加物として鉄鉱石、または、鋼または鋳鉄の種々の形態が使用されることを特徴とする、請求項９による方法。
【請求項１４】    多官能性アリールまたはヘテロアリール化合物および単官能的に反応するオレフィンが使用されることを特徴とする、これまでの請求項のいずれか１項による方法。
【請求項１５】    単官能性アリールまたはヘテロアリール化合物および多官能的に反応するオレフィンまたは多数の単官能性オレフィン末端を有する化合物が使用されることを特徴とする、請求項１から１３までのいずれか１項による方法。
【請求項１６】    ポリマーが二官能性アリールまたはヘテロアリール化合物と二官能性オレフィン誘導体との反応によって製造されることを特徴とする、請求項１から１３までのいずれか１項による方法。
【請求項１７】    ２，２’，７，７’−テトラキス（２，２’−ジフェニルビニル）−スピロ−９，９’−ビフルオレンの製造のための請求項１から１４までのいずれか１項による方法。
【手続補正２】
【補正対象書類名】明細書
【補正対象項目名】０００４
【補正方法】変更
【補正の内容】
【０００４】
【化１】
2004517042.tif 000001
図１    Ｈｅｃｋ反応の一般的な反応式
この反応は既に数年来研究されてきたが、あいかわらず産業上利用可能な方法に欠けていた。この方向への最初の端緒はＲｅｅｔｚ教授の周囲の作業グループによって最近行われた。この研究（下記ＷＯ９８／４２６４４，ＤＥ１９８  ４３  ０１２参照）は今回の出願に対する最も身近な先行技術をなしているので、文献を引用してこれらの研究をここではこの出願の構成部分とみなす。中でもＨｅｃｋ反応に関する一般的な先行技術の詳細な記載を繰返さないこととする。
【手続補正３】
【補正対象書類名】明細書
【補正対象項目名】００１８
【補正方法】変更
【補正の内容】
【００１８】
オレフィン誘導体は−引用したＲｅｅｔｚ出願の中の説明に類似して−最高３個の置換した二重結合である。その置換基はアリールまたはヘテロアリール化合物のために記載している置換基に類似していることも可能であり、またはアルデヒド、カルボン酸誘導体群またはＲｅｅｔｚの出願に記載されているその他の基を意味することもありうる。好んで使用する事が出来る単純な化合物はエチレン、プロピレン、アクリル酸誘導体、メタクリル酸誘導体、スチロール誘導体、ジフェニルエテン誘導体、ビニルエーテル、酢酸ビニルである。
【手続補正４】
【補正対象書類名】明細書
【補正対象項目名】００２０
【補正方法】変更
【補正の内容】
【００２０】
簡単なパラジウム化合物とはＲｅｅｔｚなどの出願の意味でのパラジウム−ＩＩ−化合物を意味しており、例えば、パラジウム−ＩＩ−ハロゲン化物、パラジウム−ＩＩ−酢酸塩または簡単にそれから誘導できる錯体または担持されてないまたは担持された分散状またはコロイド状金属パラジウムもまたはＰｄ2ｄｂａ3のようなその他のパラジウム（Ｏ）化合物とその類似化合物を意味する。
【手続補正５】
【補正対象書類名】明細書
【補正対象項目名】００２２
【補正方法】変更
【補正の内容】
【００２２】
Ｒｅｅｔｚなどの出願に類似して、塩基も使用し、好ましくは炭酸水素塩、炭酸塩、酢酸塩、プロピオン酸塩、蟻酸塩、安息香酸塩のようなその他のカルボン酸塩を使用する。
【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】  植物または農作物に１種またはそれ以上のシュードマイシン組成物の有効量を施用することを含む、真菌関連病から植物および農作物を保護または処理する方法。
【請求項２】  シュードマイシンが植物関連バクテリア  シュードモナス・シリンゲから単離される、請求項１に記載の方法。
【請求項３】  シュードマイシンがシュードマイシンＡ、シュードマイシンＡ′、シュードマイシンＢ、シュードマイシンＢ′、シュードマイシンＣ、シュードマイシンＣ′からなる群から選択される、請求項２に記載の方法。
【請求項４】  シュードマイシンを植物または農作物に、１ml当たり１〜１００マイクログラムの範囲の濃度の水性の懸濁液、溶液またはエマルジョンとして施用する、請求項１に記載の方法。
【請求項５】  シュードマイシン組成物を Mycosphaerella sp. に感受性の植物に該真菌の不完全期に施用する、請求項１に記載の方法。
【請求項６】  植物および農作物がバナナ、オオバコ、ヒマワリ、テンサイ、オオムギ、タマネギ、トウモロコシ、ブドウ、スベリヒユ、コムギ、トマトおよびトウモロコシからなる群から選択される、請求項１に記載の方法。
【手続補正２】
【補正対象書類名】明細書
【補正対象項目名】０００７
【補正方法】変更
【補正の内容】
【０００７】
シュードマイシン類がどんなふうに、かつなぜ世界の農業に有用でありうるのかの一例として、シュードマイシン類の幾つか、例えばシュードマイシンＡ、Ｂ、Ｂ′、ＣおよびＣ′の最小阻止濃度（ＭＩＣ）は、１ml当たり１mgまたはそれ以下の範囲にある。これは農業上の状況における有効施用にとって著しく望ましい濃度である。これらの化合物は、
M. fijiensis 単離物 8088/88 に対して試験したときに、さらに大きな効果（１.０mg未満）を生じる。M. fijiensis は、バナナおよびオオバコ（Plantains）の Black Sigatoka 病の原因微生物である。現在これらの農作物の生産者は、世界的に、バナナ農作物を得るために殺菌剤（人工）の３種混合物を１年当たり３０回の割合でスプレーする必要がある。この一つの病気だけでも、世界中で１農作物当たりの殺菌剤の最大消費量を示す。これらの合成殺菌剤を使用する欠点は数多あり、これらの欠点としては：１．そのコストが著しく高いこと（数百万ドル）；２．殺菌剤を施用したために生産者が有機栽培生産物として販売できないこと；および３．数１０年間にわたっての殺菌剤の連続使用に伴うヒトならびに環境の健康上の危険性の不確かが挙げられる。天蓋でおおわれたバナナプランテーションの下の土壌は動物生命に不妊性であるようであり、残留殺菌剤の蓄積が示される。一方、天然産生シュードマイシン類は sigatoka 病の防除にいっそう有効であることが明らかであり、同時に環境およびヒトの健康に利益を与える。
【誤訳訂正書】
【提出日】平成20年1月24日(2008.1.24)
【誤訳訂正１】
【訂正対象書類名】明細書
【訂正対象項目名】００２５
【訂正方法】変更
【訂正の内容】
【００２５】
本発明によれば、包装容器のほぼ全体積を窒素により充填する際に、好適には生産物（液状食物）を包装容器に充填する前に、無菌のガス状窒素を各包装容器に供給する手段を設けることが特に有利である。窒素は約２０℃で導入されることが好都合である。この窒素は病原菌を減少させる効果あるいは病原菌をなくす効果があり、特に窒素ガスが無菌フィルタを通して供給されて各包装容器を洗い流すと、包装容器の３倍の体積の窒素により容器の容積はほぼ完全に充填される。フルーツジュースを充填する場合、この方法を用いることにより貯蔵期間が著しく増加することが示されている。上記方法によれば、非無菌の液体窒素は、工場から出荷される際に、予め加熱により殺菌する必要がない。
【誤訳訂正２】
【訂正対象書類名】明細書
【訂正対象項目名】００４３
【訂正方法】変更
【訂正の内容】
【００４３】
図３は衛生チャンバー３を示し、その下部領域には第３コンベヤー１２が位置する。第３コンベヤー１２は、包装容器運搬体２を真直ぐ左に、４０で表されるびん供給装置の下まで移動させる。びん供給装置は、びん形状の包装容器１が示されている、互いに離れた２つのトンネル形状の空間４１から成る。これらのびんは、衛生チャンバー３中へ図３で示されない紙面奥側から手前方向へ通過し、包装容器用の開口を真直ぐ通って導入される。２つのトンネル形状空間４１間に配置された包装容器運搬体は、最初は空であるとする。図示されない支持片からレーキ形状のプッシング装置により、右左両側から包装容器運搬体２中にびんが押出された後、図３に示すようにびんは包装容器運搬体２上に保持される。しかし、その後トンネル形状空間４１中のびん１は、取出されるものとする。ガス取出装置は４２で表される。それらはトンネル形状空間４１上方に位置し、図３中において、衛生チャンバー３の４３で表される後壁まで、前後に、紙面手前から奥側方向に伸びている。この壁４３には、ガス取出装置４２に対応する大きさの穴が形成されており、そこを通してガスを衛生チャンバー３の背面の空間中に導出し、更にその外側に導出できるように成っている。
【誤訳訂正３】
【訂正対象書類名】明細書
【訂正対象項目名】００５１
【訂正方法】変更
【訂正の内容】
【００５１】
新規な充填装置の作動中に、びん１は、釣り下げられた多くのびん１が包装容器運搬体２（図５）に取入れられる保持レール上の、図３と４の紙面から見て奥側の衛生チャンバー３の後壁４３から取入れられる。びん供給装置４０への後壁４３中のカーブの付いたびんに合わせた入口開口の形状のため、ほとんどの汚染された周囲の空気は衛生チャンバー３の外部に保持されるが、ある部分はトンネル形状の空間４１中に流入し、そこでガス取出装置４２により取り除かれる。びんの内側の部分もガス取出しの影響を受け、徐々に取り除かれて衛生チャンバー３からのガスに置き換わる。包装容器運搬体２の積込みの後、外側のトンネル形状の空間４１は空になるので、頂上へ向かって空の空間を通して、積込みレベル１１から上方の水平コンベヤー上の移動トラック４５（図４の黒い矢印）に従って乗り換えを行う第１加工レベル７へ、包装容器運搬体２を運搬できる。ここで、包装容器運搬体２は包装容器運搬体のラインに接続し、図１〜４に示すように包装容器運搬体２の密集した範囲４６となる。その間、びんの開口は平均的な殺菌剤濃度の領域５８中を移動して高濃度領域５７に達し、さらに殺菌媒体用の取入口５０の開口の下を第１移動方向８（図１〜４の左から右へ）に移動する。殺菌領域およびその後の乾燥領域において、びんは殺菌剤の濃度が最も高い領域５６に達し、殺菌剤の噴霧を乾燥させた後で病原菌なしの無菌であると見なせる状態になる。その後、さらに充填や封止のような工程を運搬され、高濃度領域５７の右に達して密集した範囲４６の下流端に至り、図４中の右手のＬ字形状の黒い矢印５０’に従って、引き上げコンベヤーに移送される。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
以下の成分（ｉ）〜（ｉｉｉ）を含む安定化放射性医薬組成物。（ｉ）99mＴｃ金属錯体、（ｉｉ）アスコルビン酸、パラ−アミノ安息香酸もしくはゲンチシン酸、又はそれらの生体適合性陽イオンとの塩を含む放射線防御物質、及び（ｉｉｉ）以下の式（Ｉ）の１種以上の抗菌性保存剤。【化１】
2004517854.tif 000001
式中、ＲはＣ1-4アルキルであり、ＭはＨ又は生体適合性陽イオンである。
【請求項２】
99mＴｃ金属錯体が、ＴｃＯ2（テトロフォスミン）2+及びＴｃ（１−イソシアノ−２−メトキシ−２−メチルプロパン）6+から選択される陽イオン性親油性99mＴｃ錯体である、請求項１記載の安定化放射性医薬組成物。
【請求項３】
以下の成分（ｉ）〜（ｉｉｉ）を含む安定化放射性医薬組成物。（ｉ）99mＴｃＯ2（テトロフォスミン）2+、（ｉｉ）アスコルビン酸又はその生体適合性陽イオンとの塩を含む放射線防御物質、（ｉｉｉ）以下の式（Ｉ）の１種以上の抗菌性保存剤。【化２】
2004517854.tif 000002
式中、ＲはＣ1-4アルキルであり、ＭはＨ又は生体適合性陽イオンである。
【請求項４】
前充てん注射器内の溶液中に、請求項１乃至請求項３のいずれか１項記載の安定化放射性医薬組成物を含む、ヒトへの投与に適した無菌放射性医薬製剤。
【請求項５】
容器内に請求項１乃至請求項３のいずれか１項記載の安定化放射性医薬組成物を含む、ヒトの投与に適した無菌放射性医薬製剤。
【請求項６】
請求項４又は請求項５記載の無菌放射性医薬製剤の調製用非放射性キットであって、（ｉ）99mＴｃ金属錯体を形成するリガンド、（ｉｉ）アスコルビン酸、パラ−アミノ安息香酸もしくはゲンチシン酸、又はそれらの生体適合性陽イオンとの塩を含む放射線防御物質、及び（ｉｉｉ）以下の式（Ｉ）の１種以上の抗菌性保存剤を１以上の容器内で無菌状態で含む、キット。【化３】
2004517854.tif 000003
式中、ＲはＣ1-4アルキルであり、ＭはＨ又は生体適合性陽イオンである。
【請求項７】
前記リガンドがテトロフォスミン又は１−イソシアノ−２−メトキシ−２−メチルプロパンから選択される、請求項６記載の非放射性キット。
【請求項８】
99mＴｃ放射性医薬製剤における安定化及び微生物の増殖阻害のための、以下の（ｉ）と（ｉｉ）の組合せを含む組成物の使用。（ｉ）アスコルビン酸、パラ−アミノ安息香酸もしくはゲンチシン酸、又はそれらの生体適合性陽イオンとの塩を含む放射線防御物質、及び（ｉｉ）以下の式（Ｉ）の１種以上の抗菌性保存剤。【化４】
2004517854.tif 000004
式中、ＲはＣ1-4アルキルであり、ＭはＨ又は生体適合性陽イオンである。
【手続補正書】
【提出日】平成20年8月14日(2008.8.14)
【手続補正１】
【補正対象書類名】明細書
【補正対象項目名】特許請求の範囲
【補正方法】変更
【補正の内容】
【特許請求の範囲】
【請求項１】  対象者の片頭痛を処置し、又は予防するための方法であって、前記対象者に対し、式：
【化１】
2004517810.tif 000001
（ここで、Xは２，３又は４である）のプロポフォールのプロドラッグ、又は前記のもののいずれかの医薬として許容される塩を、前記片頭痛を処置し、又は予防するのに有効な量で投与することを含んで成る方法。
【請求項２】  前記プロドラッグが医薬として許容される担体及び薬理学的に有効な量の前記プロドラッグ又は医薬として許容されるその塩を含んで成る医薬組成物の成分である、請求項１に記載の方法。
【請求項３】  医薬として許容される担体が水溶液である、請求項２に記載の方法。
【請求項４】  医薬として許容される担体が経皮送達賦形剤を含んで成る、請求項２に記載の方法。
【請求項５】  前記組成物が注射溶液である、請求項２に記載の方法。
【請求項６】  前記組成物が噴霧器又は吸入器に含まれる、請求項２に記載の方法。
【請求項７】  前記組成物が経皮送達系に含まれる、請求項２に記載の方法。
【請求項８】  前記組成物が単位剤形にある、請求項２に記載の方法。
【請求項９】  医薬として許容される担体が界面活性剤、乳化剤又はリポソームを含む、請求項２に記載の方法。
【請求項１０】  注射溶液中の前記化合物の濃度が約1mg/ml〜約100mg/mlである、請求項５に記載の方法。
【請求項１１】  単位剤形が約10mg〜約3gの前記化合物を含む、請求項８に記載の方法。
【請求項１２】  単位剤形が約100mg〜約1gの前記化合物を含む、請求項１１に記載の方法。
【請求項１３】  前記組成物が更に第二の抗片頭痛薬を含んで成る、請求項２に記載の方法。
【請求項１４】  前記第二の抗片頭痛薬が、鎮痛剤、トリプタン、ジヒドロエルゴタミン、麻酔剤(opiate)、抗炎症薬及びそれらの組合せから選択されるメンバーである、請求項１２に記載の方法。
【請求項１５】  片頭痛を処置し、又は予防するための式：
【化２】
2004517810.tif 000002
（ここで、Xは２，３又は４である）のプロポフォールのプロドラッグ、又は前記のもののいずれかの医薬として許容される塩と、医薬として許容される担体を含んで成る医薬組成物。
【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】  れき青成分（Ａ）と、エラストマー成分（Ｂ）、好ましくは共役ジエンとモノビニル芳香族炭化水素とのブロックコポリマーと、添加剤（Ｃ）とを含み、添加剤が次の一般式で表される化合物であるれき青組成物。
Ａｒ−Ｒ−Ａｒ            （Ｉ）
（式中、「Ａｒ」はそれぞれ独立に、少なくとも１つの水酸基で置換されている６〜２０個の炭素原子からなるベンゼン環または縮合芳香族環系であり、「Ｒ」は主鎖中に６〜２０個の原子と主鎖中に少なくとも１つのアミド基および／またはエステル基とを含み、置換されていてもよい２価の基である）
【請求項２】  請求項１に記載の組成物の屋根ふき用途での使用。
【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】  少なくとも１種類の（メタ）アクリレートポリマーと、
少なくとも約６０重量％のプロピレンモノマーから誘導される、少なくとも１種類の非晶質プロピレン誘導ポリマーと、
のブレンドを含む感圧接着剤組成物であって、
前記少なくとも１種類のプロピレン誘導ポリマーが、前記少なくとも１種類の（メタ）アクリレートポリマーと、前記少なくとも１種類のプロピレン誘導ポリマーとの総重量を基準にして、少なくとも約１５重量％を構成する、
感圧接着剤組成物。
【請求項２】  前記少なくとも１種類の（メタ）アクリレートポリマーが、ポリメチルメタクリレート、ポリスチレン、およびこれらの組合せから選択される少なくとも１種類の補強ポリマー部分とグラフト共重合している、請求項１に記載の感圧接着剤組成物。
【請求項３】  前記少なくとも１種類のプロピレン誘導ポリマーが、プロピレンと少なくとも１種類の他のα−オレフィンとのコポリマーを含む、請求項１に記載の感圧接着剤組成物。
【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】  水と、
（メタ）アクリレートモノマー材料と、
前記（メタ）アクリレートモノマー材料と共重合性を有する極性ラジカル重合性材料と、
少なくとも一種の乳化剤と、
を含む乳化液組成物を形成させる工程と、
前記乳化液組成物の重合を開始させるために前記乳化液組成物の少なくとも一部にガンマ線を照射し、それによって乳化高分子反応生成物を形成する工程と、
任意に、前記乳化液組成物の少なくとも一部に照射後に前記乳化液組成物から水の少なくとも一部を除去する工程と、
を含む感圧接着剤を製造する方法。
【請求項２】  水と、
（メタ）アクリレートモノマー材料と、
前記（メタ）アクリレートモノマー材料と共重合性を有する極性ラジカル重合性材料と、
少なくとも一種の乳化剤と、
を含む乳化液組成物のガンマ線照射によって生成した乳化高分子反応生成物を含む感圧接着剤であって、
乾燥後、前記高分子反応生成物が１ｋｇの分銅を用いて少なくとも室温で少なくとも５０００分の剪断強度および少なくとも室温で少なくとも４５Ｎ／ｄｍの引き剥がし粘着力を有する感圧接着剤。
【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  （ａ）（ｉ）シラン、シラノール、およびこれらの組合せからなる群より選択される試剤で表面処理されたフルオロアルミノシリケートガラス、および（ｉｉ）少なくとも１種類の脂肪酸、を含むＡ部と、
（ｂ）少なくとも１種類のポリ酸を含むＢ部と、
を含む歯科組成物であって、
前記組成物が、少なくとも１種類の樹脂および少なくとも１種類の開始剤を更に含み、前記樹脂および開始剤が、Ａ部またはＢ部のいずれかに存在する歯科組成物。
【請求項２】  （ａ）Ａ部が、Ａ部の成分の総重量を基準にして、（ｉ）硬化性樹脂を約１０〜５０部、（ｉｉ）シラン、シラノール、およびこれらの組合せからなる群より選択される試剤で表面処理されたフルオロアルミノシリケートガラスを約４０〜８０部、および（ｉｉｉ）脂肪酸を約０．１〜１部、含み、
（ｂ）Ｂ部が、Ｂ部の成分の総重量を基準にして、（ｉ）ポリ酸を約３０〜６０部、（ｉｉ）水を約２５〜５０部、（ｉｉｉ）少なくとも１種類の開始剤を約０．３〜２部、および（ｉｖ）硬化性樹脂を約２〜２０部、含む、
請求項１に記載の歯科組成物。
【請求項３】  （ａ）第１のバレルと第２のバレルとを有するデュアルバレルのシリンジであって、Ａ部が前記第１のバレルに存在し、Ｂ部が前記第２のバレルに存在するように、請求項１に記載の歯科組成物が前記バレルに保管されるデュアルバレルのシリンジと、
（ｂ）前記シリンジを使用するための使用説明書と、
を含むキット。
【請求項４】  歯科組成物を使用する方法であって、
（ａ）歯科組成物を有する請求項３に記載のシリンジを提供する工程と、
（ｂ）混合パッドに一定量の歯科組成物を分配する工程と、
（ｃ）Ａ部とＢ部を一緒に混合して、前記歯科組成物を形成する工程と、
（ｄ）その後、患者の歯の構造体に前記歯科組成物を塗布する工程と、
を含む方法。